(57)【要約】      （修正有）【課題】マッサージユニットをペンユニットから外し、体の部位に当ててマッサージ効果を得るマッサージ兼用筆記具を提供する。【解決手段】マッサージ兼用筆記具は、少なくとも一ペンユニット１及び一マッサージユニット２を含む。そのマッサージユニットは一弾性ユニット、一動力ユニットを含み、その一側は弾性ユニットと接合し、動力の提供源とする。弾性ユニットをペンユニットから離し、動力ユニットで振動効果を伝える。また別の一側面は押圧ユニットと接合し、一押圧ユニットマッサージ触圧ヘッドで結合し、一マッサージ触圧ヘッド２８は押圧ユニット上方に設置して押圧ユニットによって一動力ユニットを制御して振動効果を伝達する。【選択図】図１
0003139561.tif 000002
【実用新案登録請求の範囲】
【請求項１】
マッサージ兼用筆記具において、一ペン桿及び一ペン芯から構成され、ペン芯の別一側には固定部品でマッサージユニットを設置する一ペンユニットと、ペン芯の別一側に相対するペン桿に設置してマッサージ效果を形成する一マッサージユニットを含み、そのうちマッサージユニットは、一動力ユニットと接合する一弾性ユニットと、一側に弾性ユニットと接合して動力源を提供する一動力ユニットと、ペンユニットとマッサージユニットの間に設置してペンユニットとマッサージユニットの組立結合をする固定部品から構成されることを特徴とする、マッサージ兼用筆記具。
【請求項２】
前記弾性ユニットは、バネもしくは撓み性巻き付け体とし、またこの撓み性巻き付け体は撓み材質の針金を含み包装体として覆うことを特徴とする、請求項１記載のマッサージ兼用筆記具。
【請求項３】
前記ペン桿は、内部にペン桿固定台を設置し、弾性ユニットは一上固定部及び一下固定部を連接し、その弾性ユニットは上固定部でペン桿固定台上に定位し、また下固定部は一穿孔を具え、ペン芯は穿孔に差し込んで弾性ユニット内に設置することを特徴とする、請求項１記載のマッサージ兼用筆記具。
【請求項４】
前記ペン桿は、上方に一カバー台を設置し、そのカバー台には動力ユニット及び押圧ユニットを納置し、また固定部品はカバー台とペン桿の間に設置することを特徴とする、請求項１記載のマッサージ兼用筆記具。
【請求項５】
前記ペン桿は、一体成型、もしくは上桿部及び下桿部を組み立てて構成することを特徴とする、請求項１記載のマッサージ兼用筆記具。
【請求項６】
前記動力ユニットは、上方は納置最上部で、その内部には振動モーター、回転軸及び偏心塊を納置する一納置部と、回転軸に連接する一振動モーターと、偏心塊に連接して作動し振動を発生する一回転軸と、納置部の納置最上部下方に納置する一偏心塊を含むことを特徴とする、請求項１記載のマッサージ兼用筆記具。
【請求項７】
前記動力ユニットは、その別一側を押圧ユニットと接合し、その押圧ユニットは少なくともマッサージ触圧ヘッドで結合し、一押圧桿及び押圧桿と連接する押圧スイッチを設置し、動力ユニットの上方に設置する一押圧ユニットと、押圧ユニット上方に設置し、押圧ユニットで一動力ユニットを制御して振動効果を達成する一マッサージ触圧ヘッドを含むことを特徴とする、請求項１記載のマッサージ兼用筆記具。
【請求項８】
前記ペンユニットは、更にペン桿蓋を設置し、そのペン桿蓋はカバー台上方に設置し、ペン桿蓋上には一穿孔が貫設され、マッサージ触圧ヘッドを穿出於ペン桿蓋の穿孔に差し込むことを特徴とする、請求項７記載のマッサージ兼用筆記具。
【考案の詳細な説明】
【技術分野】
【０００１】
本考案は、マッサージで疲労を取り除く多機能筆記具を提供し、またマッサージユニットを弾性ユニットによってペンユニットから外し、当ててマッサージ効果を得る。
【背景技術】
【０００２】
従来の筆記具はただ字を書くための機能があるだけである。人は筆記具で字を書くと、書いている途中に疲れ、思考の中断もしくは手の不適が発生して続けて書けなくなる。この時、市場で売られている「マッサージペン」があり、図１６に参照するとおりである。図１６は公知のマッサージペン立体図であり、公知のマッサージペンにはマッサージの効果はあるが、公知マッサージの技術に於いて、手にペン桿を持ち、体の部位にマッサージ触圧ヘッドを押すことによりマッサージが機能する構造であるため、使用上極めて不便である。
【０００３】
更にこのマッサージペンは、マッサージ装置を具えているが、ペン桿内に限定され、ペンを外さずにマッサージすることができないため、技術的な改善が待たれる。
【考案の開示】
【考案が解決しようとする課題】
【０００４】
解決しようとする問題点は、公知のマッサージペンがマッサージユニットを取り外して使用することができないので、使用上不便である点である。
【課題を解決するための手段】
【０００５】
本考案は、少なくとも一ペンユニット及び一マッサージユニットを含む。そのマッサージユニットは一弾性ユニット、一動力ユニットを含み、その一側は弾性ユニットと接合し動力の提供源とする。弾性ユニットをペンユニットから離し、動力ユニットで振動効果を伝える。また別の一側面は押圧ユニットと接合し、一押圧ユニットマッサージ触圧ヘッドで結合し、一マッサージ触圧ヘッドは押圧ユニット上方に設置して押圧ユニットによって一動力ユニットを制御して振動効果を伝達することを最も主要な特徴とする。
【考案の効果】
【０００６】
本考案のマッサージ兼用筆記具は、公知と比較して下述の利点がある。
１、本考案はマッサージ効果と、文字を書く事を一つに結合したもので、公知の筆記具にその他の機能を付加して実用性を高めた。
２、本考案の筆記具は、書いている時の疲れや思考の中断によって無意識にペン先を軽く叩いたり、ペン頭部を触ったりするが、その時にマッサージユニットマッサージを体に使用することにより、疲労を取り除く。
３、本考案のマッサージユニットは、ペンユニットとの間を取外し、自在の形式にし、使用者が筆記具という形式にとらわれることなくマッサージユニットをマッサージしたい部位に当ててマッサージ効果を得る。
【考案を実施するための最良の形態】
【０００７】
本考案は、マッサージによって疲労を取り除く多機能筆記具を提供する。筆記具で字を書いている時、通常疲れや、思考の中断、もしくはＰＣ打ち込みに依る手の痺れを感じやすい。そのため、マッサージユニットによって体をマッサージして疲労を取り除くことを目的とする。
【０００８】
上述の目的を達成するため、本考案のマッサージ兼用筆記具のマッサージユニットは、一弾性ユニットをペン桿内に設置し、一動力ユニットと接合する。一動力ユニットは、その一側面を弾性ユニットと接合し、動力源を提供する。弾性ユニットをペンユニットから離し、動力ユニットがカバー台及び弾性ユニットを動かして振動効果を得るか、もしくは別一側面を押圧ユニットと接合し、一押圧ユニットはマッサージ触圧ヘッドと結合し、一マッサージ触圧ヘッドは押圧ユニット上方に設置し、その押圧ユニットによって一動力ユニットを制御して振動効果を得る。
【実施例１】
【０００９】
本考案のマッサージ兼用筆記具は、図１に示すとおりで、本考案マッサージ兼用筆記具の立体外観図である。図１及び図２に示すとおり、マッサージ兼用筆記具は、本実施例に於いて、字を書いている時にマッサージをして疲労を取り除く多機能筆記具である。この筆記具は、少なくとも一ペンユニット１及び一マッサージユニット２を含む。そのうち、ペンユニット１は主に一ペン桿１１、一ペン蓋１３、一ペン芯１２及び一ペン桿蓋２９を含み、このペン桿１１は硬質管状体で、ペン桿１１内にペン芯１２を入れ、ペン蓋１３はペン芯１２一側面に相対するペン桿１１に被せ、且つそのペン桿１１のペン芯１２に近い箇所にはペン桿固定台１４を設置する。またペン桿１１のペン芯１２と相対する別側にはカバー台２２を設置してそこにマッサージユニット２を納置し、ペン桿蓋２９はカバー台２２上に被せる。もちろんペン桿１１は図に示すとおり上桿部１１１及び下桿部１１２を組み立てて成形しても、図３に示すとおり、一体成型でもよい。
【００１０】
図２及び４図に示すとおり、このマッサージユニット２は、ペン芯１２と別側に相対するペン桿１１に設置してマッサージ效果を形成し、そのマッサージユニット２は少なくとも
一弾性ユニット２１、一動力ユニットＡ、一押圧ユニットＢ及びマッサージ触圧ヘッド２８を含む。
【００１１】
一弾性ユニット２１は、図に示すとおり、撓み性を具えた材質のバネである。この弾性ユニット２１は動力ユニットＡと相互に連結し、弾性ユニット２１は一上固定部２２２及び一下固定部２１２が連接し、下固定部２１２は一穿孔２１２１を具える。当然、弾性ユニット２１は撓み性の巻き体でもよく、例として図５に示すとおり、弾性ユニット２１が針金Ｃで外を覆った包装体Ｄで撓み性の巻き体を形成する。
【００１２】
動力ユニットＡは、一納置部２４、一振動モーター２５、一回転軸２５１、一偏心塊２５２及び少なくとも一電池２３を含む。振動モーター２５、回転軸２５１及び偏心塊２５２は納置部２４内に設置し、一納置最上部２４１で納置部２４上方に蓋をし、振動モーター２５は回転軸２５１と偏心塊２５２を連接する。
【００１３】
一押圧ユニットＢは、一押圧スイッチ２６及び一押圧桿２７を含む。押圧スイッチ２６は納置最上部２４１上方に設置して動力ユニットＡと連接し、押圧桿２７は押圧スイッチ２６上方に設置する。
【００１４】
一マッサージ触圧ヘッド２８は、動力ユニットＡの押圧桿２７上に固定して被せ、ペン桿蓋２９に予め設置した穿孔２９１に差し入れる。
【００１５】
全体を組み立てる時、図２及び図６に示すとおり、動力ユニットＡを納置部２４内に納置し、一納置最上部２４１で納置部２４上方に蓋をする。動力ユニットＡの一側面は上固定部２２２によって弾性ユニット２１と相互に連接し、動力ユニットＡ別側は押圧ユニットＢと共にマッサージユニット２を構成し、マッサージユニット２をペン桿１１内に納置し、ペン芯１２が下固定部２１２の穿孔２１２１を通って弾性ユニット２１内入り、弾性ユニット２１が下固定部２１２によってペン桿固定台１４上に掛合される。また動力ユニットＡ及び押圧ユニットＢは、カバー台２２内に設置し、次にカバー台２２とペン桿１１を固定部品Ｅで相互結合する。マッサージ触圧ヘッド２８は、動力ユニットＡの押圧桿２７上に固定して被せ、またカバー台２２上方はペン桿蓋２９を設置し、マッサージ触圧ヘッド２８をペン桿蓋２９の穿孔２９１に差し込む。図７に示すとおり、固定部品Ｅはペン桿１１末端に設置する内ネジ紋１５、及びカバー台２２上に設置する外ネジ紋２２１を含む。固定部品Ｅもまたペン桿１１末端に設置する内掛合凸４０、及びカバー台２２に設置する外掛合凸３０を含み、図８に示すとおりである。
【００１６】
具体的に使用する時、使用者はペンユニット１のペン芯１２で文字を書き、使用者がマッサージしたい時、マッサージユニット２のマッサージ触圧ヘッド２８をマッサージしたい体の部位に近づけるだけでよい。図９に示すとおり、マッサージ触圧ヘッド２８を押すと、押圧桿２７が押圧スイッチ２６を始動させ、振動モーター２５が動く。振動モーター２５が回転軸２５１上の偏心塊２５２を回転させると、その発生した震動は、納置部２４、押圧スイッチ２６からカバー台２２、弾性ユニット２１及びマッサージ触圧ヘッド２８へ伝達され、振動効果を生み、振動マッサージの効果を得る。
【００１７】
更に図１０に示すとおり、カバー台２２とペン桿１１を相互に離し、カバー台２２内の動力ユニットＡ及び押圧ユニットＢ、それに繋がる動力ユニットＡに連接する弾性ユニット２１、及び押圧ユニットＢと連接するマッサージ触圧ヘッド２８を取り出し、続いて使用者がマッサージしたい部位に対して弾性ユニット２１でマッサージ部位に巻きつける。図１１に示すとおり、弾性ユニット２１両端には相互に掛合する固定環２２３を設置する。上固定部２２２上に上固定環２２３を設置し、下固定部２１２には下固定環２１１を設置し、弾性ユニット２１を使用者がマッサージしたい部位に巻きつける。図に示すのは手に巻きつけた状態で、上、下固定環２２３、２１１を相互に掛合して固定し、弾性ユニット２１が使用者の腕で定位する。
【００１８】
この時、使用者はマッサージ触圧ヘッド２８を押して押圧桿２７で押圧スイッチ２６を動かして振動モーター２５を始動させ、振動モーター２５が回転軸２５１上の偏心塊２５２を回転させ、発生した振動は納置部２４、押圧スイッチ２６を経てカバー台２２及び弾性ユニット２１へ伝達し、振動効果を生み、マッサージの効果を得る。
【実施例２】
【００１９】
図１２及び図１３に示すのは、本考案の第二実施例で、マッサージユニット２は、少なくとも 一弾性ユニット２１、一動力ユニットＡ及び一押圧ユニットＢを含む。
【００２０】
使用者は同様にペンユニット１のペン芯１２で文字を書くが、使用者がマッサージを行いたい時、カバー台とペン桿１１を相互に離すと、カバー台２２内の動力ユニットＡ及び押圧ユニットＢ、それに繋がる動力ユニットＡと連接する弾性ユニット２１を取り出し、使用者がマッサージしたい部位に対して弾性ユニット２１でマッサージ部位に嵌める。
【実施例３】
【００２１】
図１４及び図１５Ａに示すとおり、弾性ユニット２１はペン桿１１外に巻き付け、包装体Ｄで覆う。更に図１５Ｂに示すとおり、弾性ユニット２１一側をペン桿１１外に被せ、別一側は一動力ユニットＡとペン桿１１で着脱し、使用者が弾性ユニット２１でマッサージユニットを叩いたり、振動させたりすることにより、体の各部位にマッサージを行う。
【００２２】
上述のとおり、本考案は一マッサージ兼用筆記具を提供し、実用新案登録に申請する。以上の実施説明及び図式に示すのは、本考案の比較的良好な実施例であり、本考案を制限するものではない。依って本考案の構造、装置、特徴等と近似、雷同するものはすべて本考案の目的及び申請範囲に属するものとする。
【図面の簡単な説明】
【００２３】
【図１】本考案の筆記具第一実施例の構造立体図
【図２】本考案の筆記具第一実施例の構造立体分解図
【図３】本考案のペン桿の別の構造立体図
【図４】本考案のマッサージユニットの構造立体分解図
【図５】本考案の弾性ユニットの別一構造指示図
【図６】本考案の筆記具第一実施例の構造指示図
【図７】本考案の固定部品の構造立体図
【図８】本考案の固定部品の別一構造立体図
【図９】本考案の筆記具の使用状態指示図
【図１０】本考案のマッサージユニットをペンユニットから離した構造立体図
【図１１】本考案のマッサージユニットを使用者に設置した状態指示図
【図１２】本考案の筆記具第二実施例の構造立体分解図
【図１３】本考案の筆記具第二実施例の構造指示図
【図１４】本考案の筆記具第三実施例の構造指示図
【図１５Ａ】本考案の筆記具第三実施例の構造分解図
【図１５Ｂ】本考案のマッサージユニットがペンユニット外で動作する指示図
【図１６】公知筆記具の之構造立体図
【符号の説明】
【００２４】
１          ペンユニット
１１        ペン桿
１１１      上桿部
１１２      下桿部
１２        ペン芯
１３        ペン蓋
１４        ペン桿固定台
１５        内ネジ紋
２          マッサージユニット
２１        バネ(弾性ユニット)
２１１      下固定環
２１２      下固定部
２１２１    穿孔
２２        カバー台
２２１      外ネジ紋
２２２      上固定部
２２３      上固定環
２３        電池
２４        納置部
２４１      納置最上部
２５        振動モーター
２５１      回転軸
２５２      偏心塊
２６        押圧スイッチ
２７        押圧桿
２８        マッサージ触圧ヘッド
２９        ペン桿蓋
２９１      穿孔
３０        外掛合凸
４０        内掛合凸
Ａ          動力ユニット
Ｂ          押圧ユニット
Ｃ          針金
Ｄ          包装体
Ｅ          固定部品
【図１】
0003139561.tif 000003
【図２】
0003139561.tif 000004
【図３】
0003139561.tif 000005
【図４】
0003139561.tif 000006
【図５】
0003139561.tif 000007
【図６】
0003139561.tif 000008
【図７】
0003139561.tif 000009
【図８】
0003139561.tif 000010
【図９】
0003139561.tif 000011
【図１０】
0003139561.tif 000012
【図１１】
0003139561.tif 000013
【図１２】
0003139561.tif 000014
【図１３】
0003139561.tif 000015
【図１４】
0003139561.tif 000016
【図１５Ａ】
0003139561.tif 000017
【図１５Ｂ】
0003139561.tif 000018
【図１６】
0003139561.tif 000019